(57)【要約】【課題】医療画像と表示された医療画像の１又は２以上に関連する情報との表示を改良する技術を提供する。【解決手段】医療画像表示システムを使用して情報を記録する方法及び装置。一実施形態において、本方法は、第１の医療研究にアクセスする段階、画面の第１の表示区域に第１の医療研究からの１又は２以上の画像を表示する段階、第１の表示区域とのユーザの対話に関連する１又は２以上のユーザ入力を受信する段階、第２の表示区域に表示された１又は２以上のエントリのリスト内の第１の選択可能エントリを追加するためのユーザ入力を受信する段階、ユーザ入力の受信に応答して第１の選択可能エントリをリストに追加する段階、及び第１の医療研究への将来のアクセスのためにリストを格納する段階を含む。【選択図】図１
2017062772.tif 000002
【特許請求の範囲】
【請求項１】
第１の医療研究にアクセスする段階と、
画面の第１の表示区域に前記第１の医療研究からの１又は２以上の画像を表示する段階と、
前記第１の表示区域とのユーザの対話に関連する１又は２以上のユーザ入力を受信する段階と、
第２の表示区域に表示された１又は２以上のエントリのリスト内に第１の選択可能エントリを追加するためのユーザ入力を受信する段階と、
ユーザ入力の受信に応答して前記リストに前記第１の選択可能エントリを追加する段階と、
前記第１の医療研究への将来のアクセスのために前記リストを格納する段階と、
を含むことを特徴とする方法。
【請求項２】
医療画像、１又は２以上の医療注釈、又は医療記録のうちの少なくとも１つを含む前記第１の表示区域内の情報の表示属性を含む医療情報編集物の表示レイアウトの表現である表示状態を記録する段階と、
前記表示状態に関連付けられた参照を前記第１の選択可能エントリに追加する段階と、
を更に含むことを特徴とする請求項１に記載の方法。
【請求項３】
前記リスト内のエントリの選択を受信する段階と、
前記第１の表示区域に前記エントリと共に記録された表示状態又は前記第２の表示区域と共に記録された注釈を表示する段階と、
を更に含むことを特徴とする請求項１に記載の方法。
【請求項４】
前記第１の医療研究にその後にアクセスする段階と、
前記第１の医療研究から前記リストを取得する段階と、
前記リストを表示する段階と、
前記リスト内のエントリの選択を受信する段階と、
前記第１の表示区域に前記エントリと共に記録された表示状態又は該エントリに含まれる注釈のうちの一方又は両方を表示する段階と、
を更に含むことを特徴とする請求項１に記載の方法。
【請求項５】
通知を発令する段階と、
前記通知が発令された後に、
前記第１の医療研究にアクセスする段階と、
前記第１の医療研究から前記リストを取得する段階と、
前記リストを表示する段階と、
前記リスト内の前記第１の選択可能エントリの選択を受信する段階と、
前記第１の表示区域に前記第１の選択可能エントリと共に記録された表示状態又は前記第２の表示区域と共に記録された注釈を表示する段階と、
を更に含むことを特徴とする請求項１に記載の方法。
【請求項６】
前記通知は、１又は２以上の個人に対して前記研究と前記リストの少なくとも一部分とを精査する要求を含むことを特徴とする請求項５に記載の方法。
【請求項７】
ユーザ入力の受信に応答して第２の表示区域に表示された前記リスト内に第２の選択可能エントリを追加する段階と、
前記第１の表示区域に示された前記第１の医療研究を有する前記リストを格納する段階と、
を更に含むことを特徴とする請求項５に記載の方法。
【請求項８】
ユーザ入力を受信する段階は、ユーザがユーザ入力表示区域上のグラフィック要素を選択したという指示を受信する段階を含むことを特徴とする請求項１に記載の方法。
【請求項９】
前記リスト内の第２の研究のエントリを表示する段階を更に含むことを特徴とする請求項１に記載の方法。
【請求項１０】
前記リストを選別する段階と、
前記リストの一部分を該リストの選別の結果に基づいて表示する段階と、
を更に含むことを特徴とする請求項１に記載の方法。
【請求項１１】
前記リスト内の１又は２以上の追加研究のエントリを表示する段階と、
エントリ生成時刻に基づいてエントリを順序付ける段階と、
を更に含むことを特徴とする請求項１に記載の方法。
【請求項１２】
前記リスト内の１又は２以上の追加研究のエントリを表示する段階と、
研究に基づいて前記リストに表示されたエントリを分類する段階と、
エントリ生成時刻に基づいて各研究のエントリを順序付ける段階と、
を更に含むことを特徴とする請求項１に記載の方法。
【請求項１３】
１又は２以上のログエントリにタイプを割り当てる段階を更に含むことを特徴とする請求項１に記載の方法。
【請求項１４】
タイプに基づいて前記リストをフィルタリングする段階と、
前記リストの一部分を該リストのフィルタリングの結果に基づいて表示する段階と、
を更に含むことを特徴とする請求項１に記載の方法。
【請求項１５】
前記タイプは、個人の名前を含むことを特徴とする請求項１４に記載の方法。
【請求項１６】
前記第１の医療研究に関連する測定データを遠隔位置から自動的に取得する段階と、
前記測定データを含む第２のエントリを前記リストに追加する段階と、
を更に含むことを特徴とする請求項１に記載の方法。
【請求項１７】
前記リストは、前記第１の医療研究に関連付けられた手順情報を収容する第２のエントリを含み、該第２のエントリは、該第１の医療研究が完了した時に該第１の医療研究に追加されたものであることを特徴とする請求項１に記載の方法。
【請求項１８】
前記リストは、前記第１の医療研究に関連付けられたレポートを収容する第２のエントリを含み、該第２のエントリは、レポートが最初の状態にあった時に該第１の医療研究に追加されたものであることを特徴とする請求項１に記載の方法。
【請求項１９】
研究に関連付けられた文書が該研究を格納するサーバにアップロードされることに応答して前記リストに新しいログエントリを追加する段階であって、該文書が、前記第１又は第２の表示区域からアップロードされる前記追加する段階を更に含み、
新しいログエントリから前記文書を開く段階を更に含む、
ことを特徴とする請求項１に記載の方法。
【請求項２０】
電子システムであって、
１又は２以上のプロセッサと、
前記１又は２以上のプロセッサに結合された表示画面と、
前記１又は２以上のプロセッサに結合されたネットワークインタフェースと、
前記１又は２以上のプロセッサに結合されたメモリと、
を含み、
前記メモリは、前記１又は２以上のプロセッサによって実行された時に、
前記ネットワークインタフェースを通じて第１の医療研究にアクセスするための第１の論理、
前記表示画面の第１の表示区域に前記第１の医療研究から１又は２以上の画像を表示するための第２の論理、
前記第１の表示区域とのユーザの対話に関連するユーザ入力を受信するためのユーザインタフェース論理、
ユーザ入力の受信に応答して第２の表示区域に表示された１又は２以上のエントリのリスト内に第１の選択可能エントリを追加し、前記メモリに前記第１の医療研究を有する該リストを格納し、かつ前記ネットワークインタフェースを通じてストレージのための該リストを送信するためのログ発生論理、
を含む論理を実施する命令を含む、
ことを特徴とするシステム。
【請求項２１】
前記論理は、
医療画像、１又は２以上の医療注釈、又は医療記録のうちの少なくとも１つを含む前記第１の表示区域内の情報の表示属性を含む医療情報編集物の表示レイアウトの表現である表示状態を記録するためのかつ前記第１の選択可能エントリと共に該表示状態を格納するための表示状態記録論理、
を更に含む、
ことを特徴とする請求項２０に記載のシステム。
【請求項２２】
前記論理は、
前記リスト内のエントリの選択を受信するためのユーザインタフェース論理と、
前記第１の表示区域に前記エントリと共に記録された表示状態又は前記第２の表示区域と共に記録された注釈を表示するための表示制御論理と、
を更に含む、
ことを特徴とする請求項２０に記載のシステム。
【請求項２３】
前記第１の医療研究にその後にアクセスし、該第１の医療研究から前記リストを取得し、該リストを表示し、該リスト内のエントリを選択し、かつ前記第１の表示区域に該エントリと共に記録された表示状態又は前記第２の表示区域と共に記録された注釈を表示する別の電子デバイスを更に含むことを特徴とする請求項２０に記載のシステム。
【請求項２４】
前記論理は、
１又は２以上の他の個人に対して前記第１の研究のリスト及びその一部分を精査するように通知を発令するための通知発令論理、
を更に含む、
ことを特徴とする請求項２０に記載のシステム。
【請求項２５】
前記表示制御論理は、前記リスト内の第２の研究のエントリを表示するための論理を含むことを特徴とする請求項２０に記載のシステム。
【請求項２６】
前記表示制御論理は、前記リストを選別し、かつ該リストの一部分を該リストの選別の結果に基づいて表示するように作動可能であることを特徴とする請求項２０に記載のシステム。
【請求項２７】
前記表示制御論理は、前記リスト内の１又は２以上の追加研究のエントリを表示し、かつエントリ生成時刻に基づいてエントリを順序付けるように作動可能であることを特徴とする請求項２０に記載のシステム。
【請求項２８】
前記表示制御論理は、前記リスト内の１又は２以上の追加研究のエントリを表示し、研究に基づいて該リストに表示されたエントリを分類し、かつエントリ生成時刻に基づいて各研究のためのエントリを順序付けるように作動可能であることを特徴とする請求項２０に記載のシステム。
【請求項２９】
前記表示制御論理は、前記リストにタイプを割り当てるように作動可能であることを特徴とする請求項２０に記載のシステム。
【請求項３０】
前記表示制御論理は、タイプに基づいて前記リストをフィルタリングし、かつ該リストの一部分を該リストのフィルタリングの結果に基づいて表示するように作動可能であることを特徴とする請求項２０に記載のシステム。
【請求項３１】
前記タイプは、個人の名前を含むことを特徴とする請求項３０に記載のシステム。
【請求項３２】
前記論理は、
前記第１の医療研究に関連する測定データを遠隔位置から自動的に取得するための論理であって、ロギング論理が、該測定データを含む第２のエントリを前記リストに追加する前記取得するための論理、
を更に含む、
ことを特徴とする請求項２０に記載のシステム。
【請求項３３】
前記リストは、前記第１の医療研究に関連付けられた手順情報を収容する第２のエントリを含み、該第２のエントリは、該第１の医療研究が完了した時に該第１の医療研究に追加されたものであることを特徴とする請求項２０に記載のシステム。
【請求項３４】
前記リストは、前記第１の医療研究に関連付けられたレポートを収容する第２のエントリを含み、該第２のエントリは、レポートが第１の状態にあった時に該第１の医療研究に追加されたものであることを特徴とする請求項２０に記載のシステム。
【請求項３５】
製造物品であって、
電子システムによって実行された時に該電子システムをして、
第１の医療研究にアクセスする段階と、
画面の第１の表示区域に前記第１の医療研究からの１又は２以上の画像を表示する段階と、
前記第１の表示区域とのユーザの対話に関連するユーザ入力を受信する段階と、
第２の表示区域に表示された１又は２以上のエントリのリストに第１の選択可能エントリを追加するためのユーザ入力を受信する段階と、
ユーザ入力の受信に応答して前記リスト内に前記第１の選択可能エントリを追加する段階と、
前記第１の医療研究への将来のアクセスのために前記リストを格納する段階と、
を含む方法を実行させる命令を格納する１又は２以上の非一時的ストレージ媒体、
を有することを特徴とする製造物品。
【請求項３６】
前記方法は、
医療画像、１又は２以上の医療注釈、又は医療記録のうちの少なくとも１つを含む前記第１の表示区域内の情報の表示属性を含む医療情報編集物の表示レイアウトの表現である表示状態を記録する段階と、
前記第１の選択可能エントリと共に前記表示状態を格納する段階と、
を更に含む、
ことを特徴とする請求項３５に記載の製造物品。
【請求項３７】
前記方法は、
ユーザから前記リスト内のエントリの選択を受信する段階と、
前記第１の表示区域に前記エントリと共に記録された表示状態又は前記第２の表示区域と共に記録された注釈を表示する段階と、
を更に含む、
ことを特徴とする請求項３５に記載の製造物品。
【請求項３８】
前記方法は、
前記第１の医療研究にその後にアクセスする段階と、
前記第１の医療研究から前記リストを取得する段階と、
前記リストを表示する段階と、
ユーザから前記リスト内のエントリの選択を受信する段階と、
前記第１の表示区域に前記エントリと共に記録された表示状態又は前記第２の表示区域と共に記録された注釈を表示する段階と、
を更に含む、
ことを特徴とする請求項３５に記載の製造物品。
【請求項３９】
前記方法は、
１又は２以上の個人に対して前記研究及び前記リストの少なくとも一部分を精査する要求を含む通知を発令する段階と、
前記通知が発令された後に、
前記第１の医療研究にアクセスする段階、
前記第１の医療研究から前記リストを取得する段階、
前記リストを表示する段階、
ユーザから前記リスト内の第１の選択可能エントリの選択を受信する段階、及び
前記第１の表示区域に前記第１の選択可能エントリと共に記録された表示状態又は前記第２の表示区域と共に記録された注釈を表示する段階と、
を更に含む、
ことを特徴とする請求項３５に記載の製造物品。
【発明の詳細な説明】
【技術分野】
【０００１】
本発明の開示の実施形態は、医療画像と表示された医療画像の１又は２以上に関連する情報との表示を改良することに関する。より具体的には、本発明の開示の実施形態は、医療画像の表示の１又は２以上の状態のスナップショットと表示された医療画像に関連する情報とを発生させる段階とそのような情報をログエントリの一部として格納する段階とを含む医療研究に関連する情報を備えたログのためのログエントリを発生させる段階に関する。
【背景技術】
【０００２】
現在の医療画像化技術は、とりわけ、Ｘ線、マンモグラフィー、コンピュータ断層撮影（ＣＴ）走査、磁気共鳴画像（ＭＲＩ）、陽電子放出断層撮影（ＰＥＴ）走査、及び超音波画像のような医療画像の使用を含む。医師の診察室、歯科医の診察室、病院のような一部の医療施設は、医療画像の物理的プリントアウトを見るためにＸ線照明器を使用することがある。しかし、医療施設は、医療画像を表示するための電子ディスプレイを採用し始めている。
【０００３】
医療施設が電子ディスプレイを採用すると、医師、看護師、又は医療技術者のような医療職員は、一度に医療情報の複数の部分にアクセスするのが困難になる。これまでは、例えば、Ｘ線照明器を用いて、複数の物理的Ｘ線画像フィルムをＸ線照明器のバックライト付き画面に対して吊り下げることができた。これに加えて、医療職員は、医療記録、図表、手術手順などのような他の関連の医療情報を１又は２以上のＸ線と共に横に並べて吊り下げることができた。
【０００４】
医療情報を表示するための電子ディスプレイの採用時に、医療職員は、医療情報の各部分に対して個別の表示画面を開くように要求される。これは、医療情報を説明する医療職員に開いたウィンドウ間で連続して切り換えることを要求し、これは、多くの場合に医療職員にとって並びに見る者にとって面倒かつ混乱させるものである。例えば、医師は、複数のＸ線を使用して患者に負傷を説明することがある。各Ｘ線に対して１つの複数の開いたウィンドウ間で切り換えることにより、医師及び患者が混乱してしまうこと、又は患者が負傷を及びその結果として可能な治療オプションを十分に理解しないかもしれないことを予想することができる。
【０００５】
しかし、電子ディスプレイを切り換える１つの利点は、１又は２以上の医療画像に対する表示特性の調節が容易になったことである（例えば、１又は２以上の医療画像の属性）。例えば、表示画面上の表示に対してコンピュータ上の画像の輝度レベルを調節することは、Ｘ線照明器の光源を調節することよりも容易でありかつより便利である。しかし、医療職員が、負傷及び／又は必要な治療に対する結論を出すために１又は２以上の医療画像の１又は２以上の表示特性（例えば、ズームレベル、輝度レベル、コントラストレベルなど）を調節する時に、医療職員は、１又は２以上の医療画像が次回に表示される時にその調節を思い出す必要がある。例えば、医師が、例えば患者の左手の尺骨に骨折があると決定するためにＸ線上のズームレベルを上げて次にコントラストレベルを上げた時に、医師は、患者又は執刀医に骨折を説明する時にズームレベル及びコントラストレベルの増分量を思い出す必要があることになる。これに加えて、医師は、骨折及び／又は可能な治療オプションに関する結論を出す際に使用した第２の医療画像（又は他の医療情報）の配置を思い出す必要もある。一部の事例において、特定の表示配置、例えば、医療画像の１又は２以上が調節済み表示特性を有していた負傷の異なる全体像を有する２つの医療画像の横に並べた比較は、負傷を調べる際に決定的である場合がある。
【０００６】
更に、医療情報の表示特性及び特定の配置を調節する方法に関する情報を配置を生成する医療職員から遠隔に位置した医療職員に中継することは極めて困難である。例えば、カリフォルニアの医師が深刻な頭部外傷の患者を診察中であり、偶然にフランスの病院にいる頭部外傷の第一人者からの診断のセカンドオピニオンを受けたい場合に、カリフォルニアの医師が医療情報（画像、注釈、医療記録など）を配置すべき方法及び医療画像の１又は２以上の表示特性を調節すべき方法に関する情報を中継するのは非常に困難であると考えられる。
【０００７】
換言すると、内科医が１又は２以上の他の内科医との共同の研究解釈を実行するか又はこれらの内科医からの問合せをサポートかつ応答したい時に、他の内科医は、研究に関する同じタイプの情報を他の個人に見せるために以前の研究の精査中に行われた同じ操作を繰り返さなくてはならないことが多いと考えられる。すなわち、見る者における表示状態を保存するか又は効率良く検索する方法がないので、内科医は、それを効率的にするためにリアルタイムに互いと共同作業するしかない。これは、彼らに彼らが現在実行していることを中断して他の医師と関わることを強制し、それによって別の患者との場合がある彼らの現在の活動に対する中断を引き起こす。
【発明の概要】
【発明が解決しようとする課題】
【０００８】
従って、表示画面とのユーザの対話を記録する方法を有し、並びにあらゆる調節された表示特性の保存を含む情報をセーブするために彼らのコメントを記録し、それによってセーブされた状態及びセーブコメントを将来容易に呼び戻すことができることは有利であると考えられる。
【課題を解決するための手段】
【０００９】
医療画像表示システムを使用して情報を記録する方法及び装置。一実施形態において、本方法は、第１の医療研究にアクセスする段階、画面の第１の表示区域に第１の医療研究からの１又は２以上の画像を表示する段階、第１の表示区域とのユーザの対話に関連する１又は２以上のユーザ入力を受信する段階、第２の表示区域に表示された１又は２以上のエントリのリスト内に第１の選択可能エントリを追加するためのユーザ入力を受信する段階、ユーザ入力の受信に応答して第１の選択可能エントリをリストに追加する段階、及び第１の医療研究への将来のアクセスのためにリストを格納する段階を含む。
【００１０】
本発明の開示は、以下の説明及び本発明の開示の実施形態を例示するのに使用される添付の図面を参照することによって最も良く理解することができる。
【図面の簡単な説明】
【００１１】
【図１】ログを含むユーザインタフェースの例を示す図である。
【図２】ボックス内に書かれているテキストの例を示す図である。
【図３Ａ】ログエントリに自動的に追加されている画像表示区域からのテキストを示す図である。
【図３Ｂ】ログエントリに自動的に追加されている画像表示区域からのテキストを示す図である。
【図３Ｃ】ログエントリに自動的に追加されている画像表示区域からのテキストを示す図である。
【図４Ａ】フィルタタイプを含むログユーザインタフェースを示す図である。
【図４Ｂ】フィルタタイプを含むログユーザインタフェースを示す図である。
【図４Ｃ】時系列によって分類されたログエントリを示す図である。
【図４Ｄ】分類に従って順序付けされたログエントリを示す図である。
【図５Ａ】ログタイプ割り当てと異なるタイプを有するフィルタリングログとを示す図である。
【図５Ｂ】ログタイプ割り当てと異なるタイプを有するフィルタリングログとを示す図である。
【図５Ｃ】ログタイプ割り当てと異なるタイプを有するフィルタリングログとを示す図である。
【図６】ログインタフェースエントリオプションを選択することによる全研究ログタイプのフィルタリングの例を示す図である。
【図７】現在のユーザによって生成されたログを示すために個人に基づいてフィルタリングされたログを示す図である。
【図８】情報を記録するための処理の一実施形態を示す流れ図である。
【図９】ログを用いて実行することができる様々な処理を示す図である。
【図１０】共同作業の例を示す図である。
【図１１】共同作業のためにログを使用するための処理の一実施形態を示す流れ図である。
【図１２】複数のユーザ対話表示画面の第１の例示的実施形態を示す図である。
【図１３】各々が特定の患者に関する情報を含む複数の表示区域を示す表示画面の例示的実施形態を示す図である。
【図１４】スナップショット発生のためにユーザによって選択可能である潜在的な表示レイアウトテンプレートを列挙する例示的表示レイアウトテンプレート選択画面を示す図である。
【図１５】作業リスト表示区域、収集物表示区域、及び収集物内の研究のリストを示す例示的表示画面を示す図である。
【図１６】図１３−１５の表示を発生かつレンダリングするスナップショット発生及び表示システムの論理表現の例示的実施形態を示す図である。
【図１７】第１の状態及び第２の状態を有するスナップショットを発生させる例示的処理を示す流れ図である。
【発明を実施するための形態】
【００１２】
本発明の開示の様々な実施形態は、医療画像を表示する１又は２以上のユーザインタフェース画面の状態と共にコメント及び他のテキスト及び英数字データ、及び任意的に個人が研究を精査する時に表示された医療画像の１又は２以上に関する情報をセーブするために使用することができるログを生成することに関する。ユーザが研究を精査する間に閲覧された医療画像を表示するユーザインタフェース画面の複製と共にそのコメントを記録することを可能にすることにより、ユーザは、研究を精査する間のその思考過程を記録することができる。
【００１３】
ここでは、「研究」という語は、単一医療画像、医療記録、又は医療注釈のセットを含むか、又はデザインレイアウト（テンプレートなど）に示す医療画像の１又は２以上、医療記録、又は医療注釈のセットを含むことができる医療情報の編集物を広義に指す。これに加えて、インポートされる内容及び１又は２以上の表示属性に行われたあらゆる調節を含むデザインレイアウトの１又は２以上の状態をセーブすることができ、１又は２以上のセーブされた状態の分類をスナップショットと呼ぶことができる。例えば、第１のセーブされた状態は、デフォルト輝度設定を有する第１の医療画像を含むことができ、第２のセーブされた状態は、調節された輝度設定を有する第１の医療画像を含むことができる。１又は２以上のセーブされた状態の各々は、表示区域の１又は２以上の内容の１又は２以上の表示属性の調節を含むことができる。上述のように、デザインレイアウトの１又は２以上のセーブされた状態の分類をデザインレイアウトのスナップショットと呼ぶことができる。
【００１４】
特に、各調節された医療画像の状態を含むレイアウトの状態と共にそのコメントをユーザがセーブすることを可能にすることにより、ユーザは、診断、提示に重要であるか又は特に固有である当該の特定の状態を即座に呼び戻すことができる。ここでは、「調節された画像」という語は、１又は２以上の表示特性を変更されている医療画像を指すことができる。表示特性の例は、以下に限定又は制限されるものではないが、ズームレベル、輝度レベル、コントラストレベル、カラー設定、画像の位置決め、画像の回転などを含むことができる。コメント及びレイアウトの状態、例えば、負傷又は患者及び／又は医療職員による適切な手順を説明する時に正しいレイアウトに戻ることができるように、２又は３以上のＸ線画像及び以前の病歴を比較する正しいレイアウトを医師がセーブすることができることが要求される。ここでは、「スナップショット」という語は、特定のレイアウトの１又は２以上のセーブされた状態の分類を指すことができる。
【００１５】
以下の説明では、本発明の完全な解説を提供するために多数の詳細が示されている。しかし、本発明をこれらの特定の詳細なしに実施することができることは当業者には明らかであろう。他の事例において、公知の構造及びデバイスは、本発明を曖昧にしないために詳細ではなくブロック図の形式で示されている。
【００１６】
以下の詳細説明の一部の部分は、コンピュータメモリ内のデータビット上の演算のアルゴリズム及び記号表示の点で示されている。これらのアルゴリズムの説明及び表示は、その作業の内容を当業者に最も効率的に伝えるためにデータ処理技術に精通した業者によって使用される手段である。ここでのアルゴリズムは、一般的には、望ましい結果に至る段階の自己矛盾のないシーケンスであると考えられる。この段階は、物理的な量の物理的な操作を必要とするものである。通常、必ずではないが、これらの量は、格納、転送、結合、比較、及びそうでなければ操作することができる電気又は磁気信号の形態を取る。原理的には共通の使用理由で、これらの信号をビット、値、要素、記号、文字、項、番号などとして示すことが時には有利であることが証明されている。
【００１７】
しかし、これらの及び類似の語の全ては、適切な物理量に関連付けられて単にこれらの量に適用される便利なラベルであることを想起しなければならない。以下の説明から明らかであるように、他に具体的に明記されない限り、本説明を通じて「処理する」又は「演算する」又は「計算する」又は「決定する」又は「表示する」のような語を利用する議論は、コンピュータシステムのレジスタ及びメモリ内の物理的（電気的）量として表されるデータを操作して、コンピュータシステムメモリ又はレジスタ又は他のそのような情報ストレージ、送信又は表示デバイス内の物理量として同様に表される他のデータに変換するコンピュータシステム又は類似の電子コンピュータデバイスのアクション及び処理を指すことを理解しなければならない。
【００１８】
本発明はまた、本明細書における作動を実行するための装置に関する。この装置は、望ましい目的のために特別に構成することができ、又はコンピュータに格納されたコンピュータプログラムによって選択的に起動又は再構成される汎用コンピュータを含むことができる。そのようなコンピュータプログラムは、限定するわけではないが、フロッピーディスク、光学ディスク、ＣＤ−ＲＯＭ、及び磁気光学ディスク、読取専用メモリ（ＲＯＭ）、ランダムアクセスメモリ（ＲＡＭ）、ＥＰＲＯＭ、ＥＥＰＲＯＭ、磁気又は光学カード、又は電子命令を格納するのに適して各々がコンピュータシステムバスに結合されたあらゆるタイプの媒体を含むいずれかのタイプのディスクのようなコンピュータ可読ストレージ媒体に格納することができる。
【００１９】
本明細書に提示するアルゴリズム及びディスプレイは、いずれかの特定のコンピュータ又は他の装置に固有に関連付けられたものではない。様々な汎用システムを本明細書の教示に従ってプログラムと共に使用することができ、又は望ましい方法段階を実行するために専用装置を構成することが便利であることを証明することができる。様々なこれらのシステムのための望ましい構造は、以下の説明から明らかであろう。これに加えて、本発明は、いずれかの特定のプログラミング言語に関して説明しているわけではない。様々なプログラミング言語を使用して本明細書に説明するような本発明の教示を実施することができることが明らかであろう。
【００２０】
機械可読媒体は、機械（コンピュータなど）によって可読の形態で情報を格納又は送信するためのあらゆる機構を含む。例えば、機械可読媒体は、読取専用メモリ（「ＲＯＭ」）、ランダムアクセスメモリ（「ＲＡＭ」）、磁気ディスクストレージ媒体、光学ストレージ媒体、フラッシュメモリデバイスなどを含む。
【００２１】
概要
コメント及び取り込まれた表示状態（スナップショット）をセーブする際に使用するログを説明する。一実施形態において、ログは、画面上の表示のコメント及びスナップショットを示すユーザによって生成されるエントリのセットである。エントリは、医学研究を精査するユーザによって生成される。一実施形態において、研究が作業リストから選択される。開かれた時に、研究からの画像又は他の情報が画面の１つの部分に表示され、ログが表示画面の別の部分に表示される。研究からの内容を表示する表示画面の部分は、１又は２以上の異なる表示区域及び／又は異なる表示ウィンドウを有することができる。
【００２２】
一実施形態において、ログは、ユーザが研究の１又は２以上の以前の精査中に有した思考過程の一部に似ている。換言すると、ログは、研究を精査している個人が、ユーザインタフェースを通じて研究の内容と対話した時に彼らが実行する操作の取り込み又は記録を含む研究を精査する時のその思考過程を格納することを可能にするツールである。例えば、ユーザは、研究の画像に注釈を付けることができ、研究の画像に描かれた項目の測定を実行し、結論（例えば、診断、治療計画など）を生成することができる。これが発生する間のいずれの時間にも、ユーザは、注釈（又は他の英数字データ）を含むログ内のエントリを発生させ、及び／又はスナップショットを撮影し、表示画面の他の表示区域の表示状態を取り込みかつこれをログに格納することができる。従って、このロギングツールは、研究に関するユーザの知識の蓄積を可能にする。
【００２３】
一実施形態において、ユーザは、エントリをスクロールすることによってログを精査することができる。一実施形態において、１又は２以上のスクロールバーが、ログを収容するユーザインタフェースに含まれ、ユーザが列挙されたログエントリをスクロールすることを可能にする。別の実施形態において、特定の方向にカーソルを移動することにより、ユーザは、表示されていないログエントリを表示させる。例えば、ログを表示しているユーザインタフェースのある位置に表示画面上のカーソルを上に（ログ内のエントリのリストの上部右上に）移動することにより、次に、現在表示されていないログの上部の追加のログエントリが表示される。
【００２４】
ログ内のエントリを選択することにより、ログエントリと共に取り込まれ関連付けられたあらゆるスナップショットも、研究内容を表示するのに使用される他の表示区域に表示される。この時点で、スナップショットを表示する表示区域は対話型であり、ユーザは、以前に行われたのと同じ方式で以前に取り込まれた表示内容と対話することができる。例えば、ユーザは、スナップショットから表示された画像の測定を実行するか又は画像処理操作（例えば、パン、ズームなど）を実行することができる。また、ユーザは、対話から多くのログエントリを発生させることができ、そのような新しいログエントリをログに追加することができる。そのような場合に、あらゆる追加の注釈及び／又は取り込まれた表示状態もログに追加することができる。一実施形態において、これらのログエントリは、選択され画面に表示された関連付けられたスナップショットを有するエントリのすぐ下の（隣接した）ログに追加される。別の実施形態において、追加されるエントリは、ログの特定のポイント（例えば、下部）に追加される。この場合に、ログエントリは、新しいログエントリがそこから続くエントリを示す情報を含むことができる。従って、ユーザは、エントリを選択した時にそのポイントからログ内への思考過程を続けることを許可される。またユーザは、ログ内のエントリを選択してそのポイントから研究との対話を続けることにより、その以前の精査処理におけるあらゆる中間ポイントからも分析を繰り返すことができる。これは、基本的にログ内の新しいスレッドを開始する。
【００２５】
一実施形態において、ログを検索して個人に対して望ましい特定の情報を取得することができる。例えば、ログを患者名、研究番号、手順のタイプなどによって検索し、検索を実行している個人によって求められる情報を有するエントリのリストを取得することができる。
【００２６】
一実施形態において、ログ自体が研究に追加される。一実施形態において、これがＤＩＣＯＭを使用して行われ、研究に追加される材料を送信する。具体的に、一実施形態において、ＤＩＣＯＭサーバがモダリティから新しい研究を受信した時に、新しい研究に対する新しいログが生成される。一実施形態において、その時に新しいログエントリが研究情報を表現するために生成される。このエントリはログに含まれる。一実施形態において、ログへの参照又は一部分が研究に含まれ、研究が閲覧される時に表示及び／又は修正のためにログを位置付けることを可能にする。従って、一実施形態において、将来、研究にアクセスするあらゆる個人は、ログにアクセスして、その情報を使用することができる他の個人に対しても有用とすることができる過去の精査から存在する注釈及び／又はあらゆる取り込まれた表示状態を見ることができる。例えば、第１の医師が研究を精査してその精査に基づいてログエントリを発生させ、それによって第１の医師が特定の結論に到達するために取った段階を示す場合に、別の内科医は、ログエントリ及びそれに関連付けられた注釈及びスナップショットを精査することによって同じ段階を精査し、第１の医師が他の医師によって下された結論に同意するか又は同意しないか否かを決定することができる。
【００２７】
図１は、ログを含むユーザインタフェースの例を示している。図１を参照すると、ユーザインタフェースは、表示区域１０１及び表示区域１０２を含む。各表示区域は、ユーザインタフェース自体である。表示区域１０１は、ログエントリ（ログエントリ１０３など）を有するログを含む。一実施形態において、表示区域は、ログエントリ生成ボックス１１３と共に、メッセージボタン１１０、スナップショットボタン１１１、及び書込ボタン１１２を含む。ユーザが１又は２以上の研究を開いた時に、研究からの内容が表示区域１０２に表示される。個人は表示区域１０２と対話していくつかの異なる機能を実行することができる。
【００２８】
ログエントリは、ユーザによって入力される注釈、メモ、又は他のテキストを含むことができる。ログエントリは、表示区域１０２のスナップショットを含むことができる。この場合に、表示区域１０２のスナップショットは、ログエントリに関連付けられた取り込まれた表示状態である。一実施形態において、スナップショットのこの取り込まれた表示状態は、ログエントリと共に格納される。別の実施形態において、表示状態を収容するメモリ位置への参照又はポインタがログエントリに含まれる。
【００２９】
ログエントリを発生させる時に、ユーザは、メッセージボタン１１０をクリックしてログエントリのタイプを選択する。ユーザがログエントリにスナップショットを追加したい場合に、ユーザは、スナップショットボタン１１１を選択する。ユーザがスナップショット１１１を選択した時に、表示区域１０２の表示の状態は、ログエントリのために取り込まれる。表示区域１０２は、研究の様々な部分（画像など）又は様々な研究の部分、又は例えばレポート、文書（ＰＤＦ、ＭｉｃｒｏｓｏｆｔＷｏｒｄ、画像など）のような他の内容を表示する１又は２以上のウィンドウを含むことができる。ユーザがメッセージ情報は何であれ及びスナップショットをログエントリに入力した状態で、ユーザは、書込ボタン１１２を押してログエントリをログに追加する。
【００３０】
図２は、ボックス１１３に書き込まれるテキストの例を示している。図２を参照すると、ボックス１１３は、ユーザがメッセージボタン１１２をクリックする前にテキストのエントリを可能にする。ボタン１１２がクリックされた時に、ボックス１１３のテキストは、メッセージボタン１１０で選択されたタイプ及びボタン１１１をクリックする（スナップショットが存在する場合）ことによって得られたスナップショットと共に新しいログエントリに追加される。
【００３１】
一実施形態において、表示ウィンドウ１０２に現れるテキスト情報及び他の注釈は、メッセージ情報としてログエントリに追加することができる。図３Ａ−３Ｃは、そのような追加の一実施形態を例示している。図３Ａを参照すると、個人は、ユーザインタフェースツールを使用して研究の画像に現れた対象の測定を実行する。一実施形態において、自動測定ツールが使用される。測定に応答して、測定データが表示区域１０２に現れる。図３Ｂは、測定３０１からのテキストを図３Ｃに示す測定データ３０３としてログエントリボックス１１３に自動的に表示させる「テキストコピー」機能を選択するためにユーザによって利用することができるドロップダウンメニュー３０２を示している。従って、このようにして、表示区域１０２によって作られるテキスト又は他の注釈は、自動的にログエントリに含むことができる。
【００３２】
一実施形態において、ログは、現在の研究のログを示すだけでなく１又は２以上の他の研究のログエントリも示している。例えば、一実施形態において、ログは、現在の患者に関連付けられた研究の全てのエントリを示すことができる。それによって患者の履歴の精査が容易になる。これは、他の研究に関連付けられた他の取り込まれた表示状態、スナップショットに個人が即座にアクセスして閲覧することができるという利点も有する。これは、２つの研究（例えば、現在の研究と以前の研究）間の比較を更に容易にする。
【００３３】
一実施形態において、ユーザが１つの研究を開いた時に、本発明のシステムは、患者に関連付けられたログの全てを自動的に取得してこのログの全てを単一ログで表示する。別の位置のログの１つを閲覧する別の当事者が閲覧しているログに変更を実行する場合に、研究の全ての見る者がそのログを更新したように変更が研究に伝播される。
【００３４】
一実施形態において、ユーザインタフェースは、１又は２以上の研究のログを含むようにログベースをフィルタリングするための手段を提供する。図４Ａ及び４Ｂは、フィルタタイプ４００を含むログユーザインタフェースを例示している。一実施形態において、ログがフィルタリングされるフィルタタイプは、タイプのフィールド、ユーザのフィールド、研究フィールド、及び時系列を含む。図４Ａに示すように、研究フィルタは、現在の研究４０１のみが選択されていることを示す。そのような場合に、現在の研究のログエントリだけがログインタフェースに示される。図４Ｂでは、全ての研究４０２が示されることを研究フィルタが示している。そのような場合に、ログインタフェースはログの全てのエントリを含む。一実施形態において、各ログエントリを発生させた人を識別するために字下げが使用される。例えば、１人の個人によって生成されたログエントリは、左インデントによって表示され、他の人によって生成されたエントリは右インデントによって表示される。
【００３５】
他のフィルタを使用して、研究毎に分類されたログを示すことができる。一実施形態において、そのタイムスタンプによってログエントリが順序付けられることを可能にする時系列が選択される。この例は図４Ｃに示されている。別の実施形態において、ログを研究毎に分類して各研究のタイムスタンプによって順序付けることができる。これは、分類メニュー項目を選択することによって行われる。この例が図４Ｄに示されている。
【００３６】
一実施形態において、ログユーザインタフェースは、各ログへのログタイプ割り当てを可能にする。ログエントリへのタイプの割り当ては、ユーザがログタイプ毎にログをフィルタリングすることを可能にする。例えば、（患者の全研究の）測定結果の同じタイプを順番に表示することができ、それによってユーザが患者の傾向を効率的に検査することを可能にする。図５Ａ−Ｃは、異なるタイプを有するログタイプ割り当て及びフィルタリングログを例示している。図５Ａを参照すると、入力ボックス３０３は、ユーザが異なるタイプをログエントリに割り当てることを可能にする。一実施形態において、カテゴリが事前に定義される。別の実施形態において、ユーザは、タイプを挿入することができ、デフォルトタイプは使用できない。図５Ｂ及び５Ｃは、異なるタイプのフィルタリングログを例示している。図５Ｂの場合に、タイプがＣＴＲであり、図５Ｃではタイプが癌の直径である。
【００３７】
一実施形態において、ログを自動的に追加することができる。例えば、一実施形態において、新しい研究が完了した時に、研究で記録された手順に関連付けられた手順情報を含む研究を表す新しいログが追加される。そのような場合に、「研究」ログタイプをフィルタリングすることにより、患者の研究リストを表示することができる。別の実施形態において、レポートが完成して口述システムから送信された時に、レポートを表す新しいログが追加される。そのような場合に、「レポート」ログタイプをフィルタリングすることにより、患者のレポートリストを表示することができる。更に別の実施形態において、測定結果がサーバから自動的に得られてログに追加される。この場合に、ユーザは、測定結果の自動追加に応答してこれに頼るか又は参照する（又は勿論、これら自体による同じ測定を実行する）ことができる。
【００３８】
図６は、ログインタフェースエントリオプションを選択することによる全研究ログタイプのフィルタリングの例を示している。別の実施形態において、ログは、ユーザタイプに基づいてフィルタリングすることができる。例えば、個人を指定することによって特定の個人によって生成されたログの全てをログインタフェースに提示することができる。図７は、現在のユーザによって生成されたログを表示するために「私」によってフィルタリングされたログを示している。
【００３９】
ログタイプを指定して表示されるタイプに関連付けられたログエントリだけを選択することができる他のフィルタタイプが含まれる。同様に、ログを収容するユーザインタフェースは、ユーザが「全ユーザ」のログエントリ又は表示のためのユーザの部分集合を選択することを可能にする。
【００４０】
一実施形態において、研究に関連付けられた文書がサーバにアップロードされた時に、新しいログエントリが研究に追加される。一実施形態において、ログの表示区域及び／又は別の表示区域の両方から文書をアップロードすることができ、スナップショットと同様にログエントリから文書を開くことができる。
【００４１】
図８は、情報を記録するための処理の一実施形態の流れ図である。この処理を使用して、研究を１又は２以上の他の研究と比較する時のログの使用、他の個人（例えば、内科医、医療施術者など）からの支援の要求、他の個人との共同作業の実行、本明細書に説明する他の使用ケースの実行などを助けるためにログエントリを発生させることができる。
【００４２】
この処理は、ハードウエア（回路、専用論理など）、ソフトウエア（汎用コンピュータシステム又は専用機械で実行されるような）、ファームウエア、又はこれらの２又は３以上の組合せを含むことができる処理論理によって実行される。
【００４３】
図８を参照すると、この処理は、医療研究にアクセスする処理論理によって開始される（処理ブロック８０１）。一実施形態において、医療研究が遠隔ストレージ位置（例えば、サーバ、クラウドベースのストレージシステム、ＰＡＣＳなど）からアクセスされる。
【００４４】
アクセスされた状態で、処理論理は、表示画面の第１の表示区域に医療研究からの１又は２以上の画像又は他の情報を表示する（処理ブロック８０２）。表示画面は、コンピュータデバイス（例えば、コンピュータシステム、ワークステーションなど）の一部とすることができる。一実施形態において、第１の表示区域は、互いに部分的に又はそれ以外に重なり合うことができ、又は重なり合わなくてもよい１又は２以上のウィンドウを含む。
【００４５】
医療研究からの情報は、表示画面の第１の表示区域に表示され、処理論理は、第１の表示区域に現れた内容とのユーザの対話に対応する１又は２以上のユーザ入力を受信する（処理ブロック８０３）。これは任意的であり、引き続き情報を記録するために対話を実行する必要はない。一実施形態において、処理論理は、ユーザからの入力を受信し、例えば、第１の表示区域に現れた内容への画像処理及び／又は編集操作（例えば、パン、ズームなど）を実行し、第１の表示区域の内容に現れた注釈又は他のグラフィック要素に追加、削除、又は修正を実行し、第１の表示区域の内容に現れた対象に対して測定を実行する。
【００４６】
続いて、処理論理は、選択可能なログエントリを発生させる（処理ブロック８０４）。一実施形態において、選択可能なログエントリを発生させる段階は、医療画像、１又は２以上の医療注釈、又は医療記録のうちの少なくとも１つを含む第１の表示区域における情報の表示属性を含む医療情報の編集物の表示レイアウトを表す表示状態を記録する段階、及び参照ポインタを第１の選択可能なエントリに追加する段階を含み、参照ポインタは、表示状態が格納されるメモリ位置を示す。取り込まれた表示状態を含む段階は任意的であり、各又はあらゆるログエントリに必要ということではないことに注意しなければならない。一実施形態において、選択可能なログエントリを発生させる段階は、ユーザインタフェース（例えば、テキストエントリボックス）を通じてユーザからテキスト又は他のデータ（英数字データなど）を受信する段階、及び受信した情報を選択可能なログエントリに追加する段階を含む。ユーザから受信したテキスト又は他のデータを含む段階は任意的であり、各又はあらゆるログエントリに必要ということではないことに注意しなければならない。
【００４７】
次に、処理論理は、ログ情報へのユーザ入力を受信する（処理ブロック８０５）。一実施形態において、処理論理は、カーソル制御デバイスを通じてログに関連付けられた表示区域のグラフィカルユーザインタフェース要素（ボタンなど）をユーザが選択したという指示を受信し、ログエントリを生成させてログに追加させる。代わりに、ユーザインタフェース要素の異なるタイプ（例えば、プルダウンメニューなど）を使用して、ユーザがログエントリを発生させたいことを処理論理に通知することができる。一実施形態において、ユーザインタフェース要素は、研究からの内容が表示されるものとは異なる表示区域に位置する。例えば、ユーザインタフェース要素は、ログが表示されるのと同じ表示区域に置くことができる。
【００４８】
ログ情報へのユーザ入力に応答して、処理論理は、第１の選択可能なログエントリを表示画面の第２の表示区域に表示された１又は２以上のログエントリのリストに追加する（処理ブロック８０６）。
【００４９】
ログエントリが生成された後に、処理論理は、ログと共に１又は２以上のログエントリのリストを格納する（処理ブロック８０７）。一実施形態において、ログは研究とは別に格納されるが、ログの参照又はポインタは研究に含まれる。一実施形態において、研究が閉じられて精査されなくなった後に、ログは格納される。
【００５０】
続いて、処理論理は、研究にアクセスし（処理ブロック８０８）、研究に関連付けられたログエントリのリストを取得し（処理ブロック８０９）、ログを表示する（処理ブロック８１０）。
【００５１】
論理が表示された状態で、処理論理は、ログエントリのリストからログエントリの選択を受信し（処理ブロック８１１）、第１の表示区域のエントリに関連付けられた記録された表示状態及び／又はログエントリに格納された注釈を表示する（処理ブロック８１２）。
【００５２】
少なくとも１つのログエントリがログに追加された後に、ログは、１又は２以上のログエントリを含み、上述のように、ユーザは、ログ及びそのログエントリと対話しながらいくつかの作動を実行することができる。図９は、ログと対話するための処理の一実施形態の流れ図である。処理は、ハードウエア（回路、専用論理など）、ソフトウエア（汎用コンピュータシステム又は専用機械で実行されるものなど）、ファームウエア、又はこれらの２又は３以上の組合せを含むことができる処理論理によって実行される。
【００５３】
処理は、受信したユーザ入力に基づいて発生させることができるいくつかの任意的な流れを含む。図９を参照すると、一実施形態では、特定のログエントリを指定するユーザ入力の受信（例えば、ログエントリをクリックしたユーザからのカーソル制御デバイス入力の受信）に応答して、処理論理は、リスト内のエントリを選択し（処理ブロック９０１）、第１の表示区域にエントリと共に記録された表示状態又は第２の表示区域と共に記録された注釈を表示する（処理ブロック９０２）。ログエントリを選択した時に、スナップショットが表示画面に現れ、ログエントリのあらゆるテキスト（メモ）がログ表示区域に現れる。
【００５４】
一実施形態において、処理論理は、ユーザからの入力を受信し（処理ブロック９０３）、表示区域に現れるログに第２の研究のログエントリを表示する（処理ブロック９０４）。
【００５５】
一実施形態において、処理論理は、ユーザがログのためのログエントリを選別したいと思っていることを示すユーザからの入力を受信し（処理ブロック９０５）、ログエントリのリストを選別し（処理ブロック９０６）、リストを選別した結果に基づいてリストの一部を表示する（処理ブロック９０７）。
【００５６】
一実施形態において、処理論理は、１又は２以上の研究のログエントリを表示し（処理ブロック９０８）、生成時刻に従ってユーザがエントリを順序付けたいと思っていることを示すユーザからの入力を受信し（処理ブロック９０９）、エントリ生成時刻に基づいてログエントリを順序付ける（処理ブロック９１０）。
【００５７】
一実施形態において、処理論理は、１又は２以上の研究のログエントリを表示し（処理ブロック９１１）、ユーザがあるタイプの条件に（例えば、研究毎に）従って、エントリを分類したいと思っていることを示すユーザからの入力を受信し（処理ブロック９１２）、条件に基づいてログエントリを分類及び順序付ける（処理ブロック９１３）。
【００５８】
一実施形態において、処理論理は、ユーザがログエントリにタイプを割り当てたいと思っていることを示すユーザからの入力を受信し（処理ブロック９１４）、タイプを１又は２以上のログエントリに割り当てる（処理ブロック９１５）。一実施形態において、異なるタイプを個々のログエントリに割り当てることができる。
【００５９】
一実施形態において、処理論理は、ユーザがタイプ（例えば、ログエントリを発生させた個人の名前、ログエントリのタイプ、エントリに関連付けられた研究（現在の研究又は全研究）など）に基づいてログをフィルタリングしたいと思っていることを示すユーザからの入力を受信し（処理ブロック９１６）、ユーザ入力に応答してタイプに基づいてログをフィルタリングし（処理ブロック９１７）、フィルタリングされたログを表示して、それによってユーザによって指定されたタイプのログエントリだけを表示する（処理ブロック９１８）。
【００６０】
一実施形態において、処理論理は、遠隔位置からの現在閲覧されている医療研究に関連する測定データを自動的に取得し（処理ブロック９１９）、測定データを含む新しいログエントリをログエントリのリストに追加する（処理ブロック９２０）。
【００６１】
ログのための様々な使用ケース
特定の状況におけるロギングの使用を例示するいくつかの使用ケースが存在する。これらは、例えば、研究の比較、レポート生成、カンファレンス、及びユーザ間の共同作業を含む。
【００６２】
一実施形態において、同じ主題における古い研究と新しい研究の比較（例えば、２つの異なる時間に取られた患者のマンモグラフィー研究の比較）のような研究の比較にログを使用することができる。そのような場合に、内科医は、以前の研究の精査を要求して、古い研究の精査の時間の思考過程を見ることができる。そのような場合に、内科医は、取り込まれた表示状態のあらゆるスナップショットと共に注釈及び／又はメモの精査を実行して、過去の研究の対象に関する思考を決定する段階を含む古い研究に関連付けられたログを精査することができる。
【００６３】
研究を比較した時に、ログエントリが作られる場合に、現在の研究のログだけが新しいログエントリによって更新される。別の実施形態において、ユーザに１つの表示区域で２又は３以上の研究からの内容が示されており、表示状態がスナップショットとして取り込まれ、それによって複数の研究の内容の取り込み、及び各研究に関連付けられたログへのエントリが行われる。別の実施形態において、主研究のログだけでなく、比較目的に使用されるものが、新しいログエントリを含むように修正される。更に別の実施形態において、別の研究が開かれ、ユーザがログを備えた第１の研究を精査して追加の研究がそれに関連付けられたログを有する場合に、ログの１又は２以上の部分を現在の研究のログに追加及び含むことができる。
【００６４】
別の実施形態において、ログは、レポートの生成に使用される。一実施形態において、ログの全体のスレッドがレポートに含まれる。別の実施形態において、ログの一部分だけ（例えば、１又は２以上の特定のエントリ）がレポートに含まれる。例えば、一実施形態において、レポートツールは、レポートにログ内のエントリを追加することを可能にするグラフィカルユーザインタフェース特徴を含むテンプレートスレッドを有する。この追加は、レポートに追加されるあらゆる取り込まれた表示状態を含むことができる。そのような場合に、単純なグラフィカルユーザインタフェース特徴を使用して、ログエントリ又は他の内容をレポートに追加することができる。
【００６５】
ログを使用して内科医間のカンファレンスを容易にすることができる。例えば、研究を精査している内科医は、注釈を付けてスナップショットの表示状態を取り込むことができる。注釈は、前のユーザが識別した特定の項目を精査するようにログの次の見る者に示すことができる。例えば、内科医が研究を精査しているいくつかの１又は２以上のエントリは、１又は２以上のエントリを発生させ、例えば、「これを見て」又は「異常に注意せよ」のような注釈を含むことができる。別の内科医が取り込まれた表示状態に現れる特定の項目を精査するように示されたログを引き続き精査するように、スナップショットを取り込みログエントリに含むことができる。
【００６６】
別の実施形態において、ログを使用して、例えば内科医のような個人間で共同作業することができ、そのような個人は、異なる位置にいるものとすることができる。例えば、１対の個人、例えば、内科医は、異なる時間に研究を精査して、注釈及びメモの形態でフィードバックを提供して、その発見を表示してそのようなアイデア及び／又は発見を引き続き精査する個人に提示する１又は２以上のスナップショットを含むことができる。特に、第１の患者の研究を読む時に、医師は、別の医師からの助けを必要とする場合がある。そのような場合に、第１の医師は、取り込まれた表示状態によってログを生成して、助けの要求を他の個々の医師又はその医師を含む群に掲示する。続いて、その医師は、助けの要求を受信して、引き続き時間を見出して、ログへの答えを提供し、その応答と共にログエントリを発生させることによって掲示し、新しいスナップショットを含むことができ、又は含まなくてもよい。ログが更新されたという事実は、第１の内科医に掲示されている。第１の内科医は、要求された内科医が回答を提供したことに気が付く。好都合な時間に、第１の内科医は、ログにアクセスして、ログで他の医師からの回答を読むことができる。そのような処理は極めて有用であり、２人の内科医が他の医師を中断する必要なく共同方式でアイデアを交換することを可能にする。
【００６７】
そのような場合に、アプリケーションは、１つの当事者が他方の当事者に助けの要求があること又は片方の当事者が研究のある材料を精査していることを通知する通知機能を含むことができる。そのような通知を提供する多くの方法が存在する。例えば、２人のユーザが同じアプリケーションを使用している場合に、そのアプリケーションの通知機能は、ユーザが、他の人の表示画面に通知を表示させるある一定のユーザインタフェース要素（例えば、ドロップダウンメニュー）を使用して個人の名前を単純に選択することを可能にすることができる。一実施形態において、そのような場合に、研究の精査が必要なユーザは、通知をクリックすることができ、研究がその表示画面に現れる。一実施形態において、ログの研究に関連する部分だけが表示画面に表示される。
【００６８】
図１０は、共同作業の例を示している。図１０を参照すると、表示画面１００１は、いくつかのログエントリ１００２を含み、その多くがスナップショット１００３を含む。表示区域１００１は、ボックス１００４を含み、新しいログエントリ及びドロップダウンメニューを備えた区域の追加を可能にし、当事者を割り当てて研究を読むか又は助け、及びドロップダウンメニューを当事者に求めて、要求に対する個人又は群を選択する。割り当てられた時に、通知１０１０が割り当てられた個人又は群に送られる。他の通知を使用することもできる。例えば、当事者が個人による研究の精査を求められた時に、一実施形態において、個人は、当事者が研究を開いた時に通知を受信し、個人が訊ねた質問が回答され、研究の精査が完了するか、又は新しいログエントリがログに追加される。
【００６９】
図１１は、共同作業のためにログを使用するための処理の一実施形態の流れ図である。この処理は、ハードウエア（回路、専用論理など）、ソフトウエア（汎用コンピュータシステム又は専用機械で実行されるものなど）、ファームウエア、又はこれらの２又は３以上の組合せを含むことができる処理論理によって実行される。
【００７０】
図１１を参照すると、この処理は、１又は２以上のログエントリをユーザ入力に基づいて研究のログに追加する処理論理によって開始される（処理ブロック１１０１）。一実施形態において、図８に関して上述した処理を使用してログエントリを追加する。
【００７１】
１又は２以上のログエントリを追加した後で、処理論理は、１又は２以上の他の個人が研究（及びそれに関連付けられたログ、又はその一部分）の精査を要求する通知を受信するというユーザからの要求を受信する（処理ブロック１１０２）。この指示は、患者を共同で治療している１又は２以上の他の内科医への１人の内科医による割り当てとすることができる。
【００７２】
この要求に応答して、処理倫理は、研究を精査するように要求されている１又は２以上の個人に通知を発令する（処理ブロック１１０３）。研究を精査する他の個人が要求側個人と同じアプリケーションを使用する場合に、このアプリケーションは、アプリケーションによって生成されるユーザインタフェース（ダッシュボードなど）で通知を提供することができる。別の実施形態において、通知は、メッセージ（例えば、電子メール、テキストメッセージなど）を個人に送信することによって行われる。
【００７３】
個人によって出されるかつ受信される通知に続いて、医療研究にアクセスする処理論理（処理ブロック１１０４）は、医療研究のリストログエントリを収容するログを取得し（処理ブロック１１０５）、ログを表示する（処理ブロック１１０６）。医療研究へのアクセスは、研究へのアクセスを要求する個人の１人に応答して発生する。この要求は、例えば、作業リスト内に現れる研究の名前、又はユーザインタフェースの研究を表すアイコンをクリックすることによって発生させることができる。
【００７４】
この後に、処理論理は、ログエントリのリストの１つのログエントリの選択を示すユーザ入力を受信し（処理ブロック１１０７）、それに応じて、画面の表示区域のエントリと共に記録された表示状態及びエントリと共に格納されたあらゆるテキスト又は注釈を表示する（処理ブロック１１０８）。テキスト又は注釈は、ログを表示する同じ表示区域に表示することができるが、これは要求されない。
【００７５】
処理論理は、ユーザ入力の受信に応答して別の選択可能なログエントリをログエントリのリストに追加することができ（処理ブロック１１０９）、この後に医療研究と共にログを格納する（処理ブロック１１１０）。
【００７６】
スナップショットの概要
図１２を参照すると、複数のユーザ対話表示画面の第１の例示的実施形態が示されている。ディスプレイ１２００は、複数の表示画面１２１０、１２２０及び１２３０を含む。図１２は、ユーザ（例えば、医師、医療技術者、又は看護師など）が複数の医療画像及び医療画像の１又は２以上又は医療画像の１又は２以上の被験者に関連する注釈を同時に閲覧する１つの方法の実施形態を示している。表示画面１２１０は、１又は２以上の作業リスト、１又は２以上の収集物、及び１又は２以上の研究の列挙を含むホーム画面を示している。表示画面１２２０は、医療画像、具体的には胸部のＸ線を示している。最後に、表示画面１２３０は、患者（「患者３０」など）に関する注釈を追加するか又は前に記録された注釈を精査するためのテキストボックスを示している。
【００７７】
少なくとも表示画面１２２０及び１２３０を精査した後に、ユーザは、閲覧アプリケーションを出ることができるが（例えば、休息を取る、別の患者を診察するなどのために）、閲覧アプリケーションを出る直前の閲覧状態又は当該の特定の状態に戻ることを要求することができる。本発明の開示で説明するスナップショット機能を実施しなければ、ユーザは、複数の表示画面（例えば、表示画面１２２０及び１２３０など）を開いて、必要に応じて表示画面１２２０の医療画像を調節するように要求される。ユーザは、出る直前の表示状態を取得するか又は当該の特定の状態を取得するのに必要な段階を呼び戻すことはできない。従って、望ましい医療画像及び／又は注釈によってレイアウトを生成してスナップショットを生成しておくことで、ユーザが出る直前の状態又は当該の特定の状態を即座に呼び戻せるようにする。
【００７８】
スナップショット発生
ここで図１３を参照すると、各々が特定の患者に関する情報を含む複数の表示区域を示す表示画面の例示的実施形態が示されている。ここでは、以下に説明する表示制御論理によってレンダリングされる表示画面１３００は、ユーザ対話表示画面１３１０、履歴表示区域１３２０、及び見る者によって取られる複数のアクションを示す複数のアイコン１３３０−１３４０を含む。この実施形態において、ユーザ対話表示画面１３１０は、４つの表示区域、すなわち、注釈表示区域１３１１、第１の医療画像１３１２、レポート表示区域１３１３、及び第２の医療画像１３１４を含む。４つの表示区域１３１１−１３１４は、ユーザによって選択される事前に定義されたレイアウトに示されている。図１４により以下に説明するように、ユーザ対話表示画面１３１０に示すレイアウト以外の他のレイアウトも存在することができる。
【００７９】
図１３のユーザ対話表示画面１３１０に見られるように、注釈表示区域１３１１は、特定の患者、例えば、「患者３０」に関連した情報を含むことができる。注釈表示区域１３１１は、注釈表示区域１３１１に含むことができる複数の患者情報の例を含むが、他の実施形態において、より多くの又は少ない情報を含むことができる。医療画像１３１２は、ユーザ対話表示画面に含むことができる医療画像の一例を示している。医療画像１３１２は第１のＸ線を示している。見て分るように、医療画像１３１２は、Ｘ線が取られた状態の特徴（例えば、輝度レベル、ズームレベル、及び／又は時間）を識別するためにマーク付けを含むことができる。代わりに、医療画像１３１２がレイアウトの表示区域に配置された状態で医療画像１３１２の調節を示すためにマーク付けを使用することができる。
【００８０】
記録表示区域１３１３は、医療画像１３１２及び１３１４の被験者の情報を含むことができる。図１３の実施形態において、記録表示区域１３１３は、注釈表示区域１３１１による患者３０の情報を含み、対象の年齢、性別、前の医療問題の区域などに関する情報の１又は２以上の部分を見る者に提供する。当業者が認識するように、本明細書に示すもの以外の他の医療属性を記録表示区域１３１３に提供することができる。医療画像１３１４は、医療画像１３１２の被験者の第２の全体像を提供することができる。一実施形態において、医療画像１３１２は、肺に穴が開いていないか又は肋骨が骨折していないかを決定するための患者の胸部に着目したＸ線を示すことができる。医療画像１３１４は、患者の身体を貫通する物体を示す患者の第２の全体像を見る者に提供することができる。
【００８１】
他の実施形態において、医療画像のあらゆる組合せは、レイアウトの１又は２以上の表示区域内に配置することができる。例えば、単一患者の複数の医療画像をユーザ対話表示画面１３１０として描かれた実施形態と同様に横に並べて配置することができる。代わりに、負傷の初期医療画像から治療された状態までの患者の経過の１又は２以上の医療画像は、回復中に定期的に取られたいくつかの医療画像を含む。この経過は、患者の回復を医師が適切にモニタすることを可能にする。代わりに、医師は、複数の患者の類似の全体像の複数の医療画像の比較を欲する場合がある。
【００８２】
表示画面１３００の履歴表示区域１３２０は、以前に閲覧された１又は２以上のスナップショットを含むことができる。例えば、スナップショット１３２１及びスナップショット１３２２は、以前に閲覧されたスナップショットの例示的な実施例である。これに加えて、スナップショット１３２１又は１３２２に配置されたアイコンを使用して、スナップショット１３２１又は１３２２内に含まれる状態の数を示すことができる。図１３の実施形態において、スナップショット１３２１に配置された数字アイコンは、スナップショット１３２１内に９つの状態があることを示し、同様にアイコンは、スナップショット１３２２内に４つの状態があることを示す。履歴表示区域１３００は、「ブックマーク」オプション１３２３を含むことができる。ブックマークオプション１３２３は、即座にアクセスするために、スナップショット又はその特定の状態へのリンクを格納することができる。
【００８３】
表示画面１３００は、様々な機能を呼び出すために見る者が利用することができる複数のアイコンを含むことができる。図１３に示す実施形態において、アイコン１３３０は、患者の記録がレイアウトにインポートされるように記録データベースへのアクセスを表すことができる。アイコン１３３１は、前に取られた注釈がレイアウトにインポートされるように注釈データベースへのアクセスを表すことができる。アイコン１３３１は、見る者（例えば、レイアウト生成者又は見る者）がレイアウトに新しい注釈をインポートすることを可能にする機能を含むことができる。アイコン１３３２は、見る者が１又は２以上の医療画像をレイアウトにインポートすることを可能にする画像データベースへのアクセスを表すことができる。アイコン１３３３は、レイアウトの１又は２以上のテンプレートを格納するデータベースへのアクセスを表すことができる。一部の実施形態において、見る者は、初期レイアウトテンプレートを選択するか、又はアイコン１３３３を通じてレイアウトテンプレートを変更することができる。アイコン１３３４−１３３７は、医療画像を調節するために見る者が段階を１つずつ取ることを可能にする。例えば、医療画像１３１２が選択されたとすると、アイコン１３３４は、医療画像１３３４の初期の調節されていない状態に見る者が戻ることを可能にし、アイコン１３３５は、現在の調節された状態の１つ前の段階に見る者が戻ることを可能にし（例えば、前のズームレベルに後退する、又は輝度レベルを下げる）、アイコン１３３６は、調節された段階の次の段階に見る者が進むことを可能にし、アイコン１３３７は、スナップショットがセーブされた時の最終的な調節済み状態に見る者が戻ることを可能にする（そのような実施形態において、アイコン１３３６−１３３７を使用するために、アイコン１３３４−１３３５の１又は２以上は、見る者によって以前に使用されていると仮定する）。
【００８４】
アイコン１３３８は、レイアウトの状態をセーブする段階（例えば、スナップショットを発生させる段階）、スナップショット（特定の状態）に名前を付ける段階、及び／又はスナップショット（又は特定の状態）を指定された収集物に割り当てる段階のような１又は２以上のスナップショット機能へのアクセスを表すことができる。ユーザ対話表示画面１３１０がロックを解除されない限り（例えば、パスワードを通じて）現在のセーブされた状態の１又は２以上の表示区域に調節が行われないように、アイコン１３３９は、生成者又は見る者がユーザ対話表示画面１３１０をロックすることを可能にする。アイコン１３４０は、ヘルプガイド又は設定メニューへのアクセスを表すことができる。
【００８５】
ユーザ対話表示画面１３１０が開かれている状態は、構成可能な設定とすることができる。例えば、ユーザは、表示制御論理を構成し（以下に説明）、医療編集物が選択された時の事前に定義された状態で医療編集物（例えば、研究）をレンダリングすることができる。一実施形態において、医療編集物が選択された時に、最新のセーブされた状態は、自動的にレンダリングされる。第２の実施形態において、医療編集物が選択された時に、最初のセーブされた状態が、自動的にレンダリングされる。
【００８６】
図１４を参照すると、ユーザ対話表示画面発生のためにユーザによって選択可能である潜在的なレイアウトテンプレートを列挙する例示的レイアウトテンプレート選択画面が示されている。表示画面１４００は、図１３で上述のように、少なくとも履歴表示区域１３２０及びアイコン１３３０−１３４０を含む。これに加えて、表示画面１４００は、レイアウトを生成する間にユーザが選択することができ、次に、スナップショット（又はその状態）としてセーブされる１又は２以上のレイアウトテンプレートを含むレイアウトテンプレート表示画面１４１０を含む。
【００８７】
例えば、レイアウトテンプレート表示画面１４１０は、レイアウトテンプレート１４１１−１４１６を含む。レイアウトテンプレート１４１１−１４１６の各々は、１又は２以上の医療画像、注釈、記録、又は医師の診察又は精査に関連のある場合がある他の情報又はデータのための変更されるレイアウトを含む。一実施形態において、ユーザは、医師が近い将来に撮影することになる第２の医療画像、並びに両方の医療画像に関する注釈と比較したいデータの最初の部分（例えば、第１の医療画像）を取得しておくことができる。医師は、レイアウトテンプレート、例えば、レイアウトテンプレート１４１６を選択して、第１の医療画像及び第１の医療画像に関する注釈をインポートすることができる。続いて、第２の医療画像が得られた時に、医師は、第２の医療画像、並びに第２の医療画像に関する注釈をレイアウトテンプレート１４１６にインポートすることができる。従って、レイアウトテンプレート１４１１−１４１６の選択は、医師、看護師、及び／又は医療技術者が、閲覧の容易さを促進するレイアウトに医療データを容易に配置することを可能にし、医療データを将来の参照のためにスナップショット又はその状態としてセーブすることを可能にする。
【００８８】
これに加えて、以下で説明する表示制御論理は、１又は２以上のテンプレートを生成するユーザに基づいてテンプレートを生成するための論理を含むことができる。一実施形態において、ユーザは、１又は２以上の追加の表示区域を含むように、又は１又は２以上の表示区域を取り除くようにレイアウトテンプレートを変更することができる。例えば、ユーザは、レイアウトテンプレート１４１１を選択することができ、医療データの第４の部分をインポートしようとする場合に、制御表示論理は、１つの表示区域を２つに分割するか又は現在の表示区域を圧縮して第４の表示区域を追加することにより、医療データの第４の部分を第４の表示区域にインポートすることができる。レイアウトテンプレートを変更した状態で、表示制御論理は、新しく生成されたレイアウトを表示区域１４１０のレイアウトテンプレートに追加することができる。別の実施形態において、ユーザは、変更されたレイアウトを表示区域１４１０のレイアウトテンプレートに追加するか否かに関して決定を促される。
【００８９】
ホーム画面からのスナップショットへのアクセス
図１５を参照すると、作業リスト表示区域、収集物表示区域、及び収集物内の研究のリストを示す例示的表示画面が示されている。一実施形態において、表示画面１５００は、複数の研究、作業リスト、収集物、及び／又は個々のスナップショット又はその状態へのアクセスを提供する「ホーム」画面を表すことができる。ここでは、表示画面１５００は、表示区域１５１０、作業リスト表示区域１５３０、及び収集物表示区域１５４０を含む。
【００９０】
作業リスト表示区域１５３０及び収集物表示区域１５４０は、作業リスト及び収集物それぞれを列挙する。「作業リスト」という語は、研究の規則に基づく分類を指し、「収集物」という語は、ユーザによって手動で組み立てられた研究の分類を指す。図１５の実施形態は、３つの現在の作業リスト、すなわち、「全患者」、「未読の研究」、及び「マンモグラフ研究」を示している。従って、例えば、開かれていない全研究（例えば、スナップショット、医療画像、注釈など）を１又は２以上の規則に基づいて「未読の研究」という名称の作業リスト内に自動的に配置することができる。これに加えて、例えば、「未読の研究」という名称の作業リストは、完成されていない研究を含むことができる。作業リストを用いて、見る者又はユーザは、データ（例えば、スナップショット、スナップショットの状態、医療画像など）を手動で作業リスト分類に追加する必要はなく、代わりに、電子装置の非一時的コンピュータ可読媒体に格納された論理が、データを自動的に適切な作業リストに追加する。電子装置の例は、デスクトップコンピュータ、タブレット、ラップトップ、「スマート」移動電話、又は専用サーバを含むことができる。同様に、論理は、１又は２以上の規則に従って作業リストから研究を取り除くことができる（例えば、作業リスト「未読の研究」の規則が、全ての開かれていない、例えば、未読の研究を作業リスト内に入れることであると仮定すると、研究は、研究が開かれている時に作業リスト「未読の研究」から取り除かれる）。
【００９１】
対照的に、ユーザ又は見る者によって手動で行われる時にだけ研究が収集物に追加されるか又は収集物から取り除かれる。作業リスト及び収集物の分類の組合せが実施され、ユーザは、分類に手動で追加するか又は分類から取り除くだけでなく自動追加及び除去の規則を設定することができるように想定される。図１５は、３つの作業リスト及び３つの収集物だけを示しているが、これよりも多いか又は少ない作業リスト及び／又は収集物を提供又は生成することができる。
【００９２】
図１５を見て分るように、「収集物３」の研究は、表示区域１５１０に列挙され、例示的な行１５２０１−１５２０５が示されている。行１５２０１は、行１５２０２−１５２０５の各列のヘッダを含む。例えば、行１５２０２は、行１５２０２の対応する研究のスナップショットの存在を示すアイコン１５１１、行１５２０２の対応する研究の注釈（例えば、看護師又は医師による）の存在を示すアイコン１５１２、行１５２０２の研究に対応する医療記録の存在を示すアイコン１５１３を含む１又は２以上の列におけるアイコンを含むことができる。これに加えて、行１５２０２の研究に対応する患者名１５１４及び患者識別（ＩＤ）１５１５を含むことができる。また、図１５に示すものよりも多いか又は少ない列及び／又は行を表示区域１５１０に存在させることができる。一実施形態において、アイコン１５１１は、スナップショットで利用可能ないくつかの状態を示すアイコンを含むことができる（例えば、図１３の履歴表示区域１３２０のスナップショット１３２１及び１３２２で議論したように）。
【００９３】
例示的システム
ここで図１６を参照すると、上述のログを発生かつレンダリングするログ発生及び表示システム１６００の論理表現の例示的実施形態が示されている。本発明のシステムは、例えば、図１３−１５に示すようなスナップショットを有することができる個々のログエントリを発生させる。ログ発生及び表示システム１６００は、第１の送信媒体１６２０を通じて通信インタフェース論理１６１０に結合された１又は２以上のプロセッサ１６０１を含む。通信インタフェース論理１６１０は、他の電子デバイスとの通信を可能にし、特に、医師、看護師、及び／又は医療技術者のような遠隔ユーザとの通信を可能にする。本発明の開示の一実施形態により、有線コネクタの１又は２以上のポートを含む物理的インタフェースとして通信インタフェース論理１６１０を実施することができる。これに加えて又はこれに代えて、他の電子デバイスとの無線通信をサポートするための１又は２以上の無線ユニットを用いて通信インタフェース論理１６１０を実施することができる。
【００９４】
プロセッサ１６０１は、送信媒体１６２５を通じて永続性ストレージ１６３０に更に結合される。本発明の開示の一実施形態により、永続性ストレージ１６３０は、（ａ）ユーザインタフェース論理１６４１、（ｂ）ログ発生及び表示制御論理１６４２、（ｃ）通知及び割り当て論理１６４３、（ｄ）レイアウトテンプレート１６３１、（ｅ）インポート論理１６３２、（ｆ）スナップショット発生論理１６３３、（ｇ）表示制御論理１６３４、（ｈ）画像データベース１６３５、（ｉ）注釈データベース１６３６、及び（ｊ）記録データベース１６３７を含むことができる。
【００９５】
ユーザインタフェース論理１６４１は、ユーザと画面に表示される表示区域の間の対話を可能にするための論理を含むことができる。
【００９６】
ログ発生及び表示制御論理１６４２は、ログエントリを発生させて研究と共にログを格納する段階を含むログの発生を制御するための論理、並びに例えばログエントリの選別、ログエントリの検索、ログエントリへのタイプの割り当て、表示されるログエントリの決定のようなログとの対話を処理するための制御論理を含む。
【００９７】
通知及び割り当て論理１６４３は、研究（及びログ）の精査を通知する及び／又は割り当てを発令する及び送信するための論理を含む。
【００９８】
インポート論理１６３２は、ストレージデバイスから情報の１又は２以上の部分を検索して情報の１又は２以上の部分の各々をレイアウトテンプレートの個別の表示区域にインポートするための論理を含むことができる。例えば、情報のこの部分は、以下に限定又は制限されるものではないが、（ｉ）Ｘ線、マンモグラム、コンピュータ化断層撮影（ＣＴ）走査、磁気共鳴画像（ＭＲＩ）、陽電子放出断層撮影（ＰＥＴ）走査、及び／又は超音波画像、（ｉｉ）医療画像の１又は２以上に関する内科医の注釈、及び／又は（ｉｉｉ）１又は２以上の医療画像の被験者の１又は２以上に対応する医療記録を含むことができる。
【００９９】
スナップショット発生論理１６３３は、レイアウトテンプレートの少なくとも第１の状態をセーブするための論理を含むことができる。第１の状態をセーブする段階は、少なくとも（ｉ）情報の１又は２以上の部分及び（ｉｉ）情報の１又は２以上の部分の各々の表示特性を非一時的コンピュータ可読媒体に格納する段階を含むことができる。表示制御論理１６３４は、ユーザの選択に従って表示のためのレイアウトテンプレートのセーブされた状態のセットの１つを検索して、レイアウトテンプレートのセーブされた状態のセットの検索されたセットを表示する（例えば、表示画面をレンダリングする）ための論理を含むことができる。これに加えて、表示制御論理１６３４は、ユーザによる命令に従って表示特性の１又は２以上を調節する（例えば、輝度レベル、ズームレベル、コントラストレベルなどを変更する）ための論理を含むことができる。また、表示制御論理１６３４は、スナップショット（又はその状態）に含まれる情報の１又は２以上の部分に行われた一連の調節において後退するための論理を含むことができる。一実施形態において、表示制御論理１６３４は、表示画面上の様々なアイコンのユーザ選択を通じて受信した命令に従って１又は２以上の表示特性への調節に基づいて前の状態に後退することができる。
【０１００】
例えば、医師が、スナップショットの第１の状態としてレイアウトの状態をセーブする前に医療画像の特定の態様に着目するために輝度レベルを１００％から１５０％に上げ、次に、ズームレベルを上げて表示画面を閉じたと仮定する。スナップショットの第１の状態を開いた状態で、医師（又は別のユーザ）は、医療画像の特定の態様に着目した１５０％の輝度レベル及び上昇したズームレベルで医療画像を見ることになる。次に、医師は、前に行われた医療画像への調節に基づいて前の状態に後退することができる。従って、医師は、標準のズームレベルに後退し、続いて（例えば、図１３のアイコン１３３５を選択することにより）１００％の輝度レベルに後退することができる。これに加えて、医師は、（例えば、図１３のアイコン１３３４を選択することにより）医療画像の初期状態に戻り、戻ったと仮定して（例えば、図１３のアイコン１３３６を選択することにより）前に進み、及び／又は（例えば、図１３のアイコン１３３７を選択することにより）第１の状態がセーブされた状態に進むことができる。勿論、ハードウエアとして実施される時は、これらの論理ユニットの１又は２以上は、互いに別々に実施することができる。
【０１０１】
画像データベース１６３５、注釈データベース１６３６、及び記録データベース１６３７は、単一の非一時的コンピュータ可読媒体ストレージデバイスを含むことができ、又は各々は、個別の非一時的コンピュータ可読ストレージ媒体ストレージデバイスとすることができる。一実施形態において、データベース１６３５−１６３７の各々は、単一の非一時的コンピュータ可読媒体ストレージデバイスのハッシュテーブルの形態を取ることができる。画像データベース１６３５は、ユーザがレイアウトテンプレートの表示区域にインポートすることができる医療画像を格納する。注釈データベース１６３６は、ユーザがレイアウトテンプレートの表示区域にインポートすることができ、これは、医師、看護師、医療技術者などによって記録された注釈を格納する。最後に、記録データベース１６３７は、ユーザがレイアウトテンプレートの表示区域にインポートすることができる医療記録を格納する。
【０１０２】
スナップショット発生処理の例
図１７を参照すると、第１の状態及び第２の状態を有するスナップショットを発生させる例示的処理の流れ図が示されている。図１７に示す各ブロックは、第１の及び第２の状態を含むスナップショットを発生させる方法１７００で実行される作動を表している。ブロック１７０１で、レイアウトテンプレートが、１又は２以上の事前に構成されたテンプレートから選択される。例えば、図１４を参照すると、医師は、表示区域１４１０に示すレイアウトテンプレート１４１１−１４１６の１つを選択することができる。レイアウトテンプレートの選択に続いて、第１の医療画像が、レイアウトテンプレートの第１の表示区域にインポートされる（ブロック１７０２）。一実施形態において、医師は、患者の複数のＸ線画像を撮影しておくことができ、かつレイアウトテンプレートにインポートする第１のＸ線画像を選択することができる。例えば、第１のＸ線画像は、第１の全体像からの患者の負傷を表示することができる。
【０１０３】
ブロック１７０３で、医師は、インポートされた第１の医療画像に関する注釈をレイアウトテンプレートの第２の表示区域にインポートすることができる。例えば、医師は、Ｘ線画像を撮影しながら前に記録された注釈を有することができる。これに代えて又はこれに加えて、医師は、第１の医療画像を検査しながら第２の表示区域に注釈を入力することができる。
【０１０４】
ブロック１７０４で、医師は、とりわけ、第１の医療画像の（ｉ）輝度レベル及び／又は（ｉｉ）ズームレベルのような第１の医療画像の１又は２以上の表示特性を調節することができる。そのような例では、医師は、第１の医療画像を明確に検査するために輝度レベルを調節することができる。これに加えて、医師は、第１の医療画像の特定の部分、例えば、交通事故で負った複数の骨折の１つに検査を絞るために、医療画像のズームレベルを上げることができ、ここで、１つの特定の骨が、第１の手術の着目点になることになる。
【０１０５】
第１の医療画像及び第１の医療画像に関する注釈をインポートすること（又は第１の医療画像の検査中に注釈を記録すること）及び第１の医療画像の１又は２以上の表示特性を調節することに続いて、医師は、スナップショットの第１の状態としてレイアウトテンプレートの状態をセーブすることができる（ブロック１７０５）。上述のように、（ｉ）医療画像、注釈、医療記録のような特定の配置がセーブされ、かつ（ｉｉ）医療画像の表示特性（例えば、表示属性）に行われたあらゆる調節が保存されるように、医師は、レイアウトテンプレートの状態をセーブすることができる。従って、この例では、輝度レベル及びズームレベルの調節が保存される。レイアウトテンプレートのセーブされた状態は、スナップショットの第１の状態と呼ぶことができる。上述のように、負傷又は治療の経過に関する結論が下されたスナップショットから状態を取得する段階は、医師が呼び戻すことが困難であるので、レイアウトの状態をセーブすることは有利である。これに加えて、レイアウトの望ましい状態を取得することに関する医療情報及び命令を送信することに比べて、レイアウトのセーブされた状態を遠隔に位置した第２の医師、及び／又は看護師又は医療技術者に送信することは容易である。
【０１０６】
スナップショットの第１の状態をセーブした後で、医師は、第２の医療画像をレイアウトテンプレートの第３の表示区域にインポートすることができる（ブロック１７０６）。一実施形態において、第２の医療画像は、第１の医療画像で着目された負傷の第２の全体像とすることができる。代わりに、第２の医療画像は、第１の医療画像とは個別に調節されたその表示特性を有する第１の医療画像と同じＸ線、第２の負傷のＸ線、第１の医療画像で着目された負傷を是正するために成功した手術を受けた第２の患者のＸ線などとすることができる。方法１７００は、第２の医療画像がレイアウトテンプレートの第３の表示区域にインポートされたことを提示するが、医師は、第１の医療画像が示した患者の医療記録又は他の医療情報（例えば、治療又は手術プロトコル、治療の時系列など）をインポートすることができる。
【０１０７】
ブロック１７０７で、医師は、次に、スナップショットの第２の状態としてレイアウトテンプレートの状態をセーブすることができる。複数のセーブされた状態を有することは、医師が、第１の状態を使用して第２の医師又は外科医と負傷及び可能な治療オプションを議論し、かつ第２の医師又は外科医が看護師又は患者に示される追加の情報を有することを欲しない場合に、第２の状態を使用して看護師及び患者と負傷及び可能な治療オプションを議論することができるので（又は逆も同様である）有利である場合がある。例えば、第２の医師は、負傷を是正するための成功した手術のＸ線を見たくない場合があるが、実際の負傷の１又は２以上の全体像を見ることだけが必要である場合がある。同じ例では、医師は、負傷のＸ線の隣に成功した手術のＸ線を表示することによって患者に今度の手術を説明する（例えば、金属プレートが手術中に挿入されることになり、結果がどうなるかを説明する）ことが容易であることを見出すことができる。
【０１０８】
上述の特徴及び機能のいずれの組合せも、１又は２以上の実施形態に従って使用することができる。上述の明細書では、実施毎に変化する場合がある多数の特定の詳細に関して実施形態を説明した。明細書及び図面は、従って、制限の意味ではなく例示的な意味に捉えるべきである。本発明の範囲の唯一かつ網羅的な指標及び本発明の範囲内であるように出願人が意図するものは、本出願から出されるあらゆるその後の補正を含む請求項のセットのそのような請求項が出す特定の形態にある文字通りのかつ同等な範囲である。
【符号の説明】
【０１０９】
１０１、１０２  表示区域
１０３  ログエントリ
１１１  スナップショットボタン
１１２  書込ボタン
１１３  ログエントリ生成ボックス
【図１４】
2017062772.tif 000003
【図１５】
2017062772.tif 000004
【図１６】
2017062772.tif 000005
【図１７】
2017062772.tif 000006
【図１】
2017062772.tif 000007
【図２】
2017062772.tif 000008
【図３Ａ】
2017062772.tif 000009
【図３Ｂ】
2017062772.tif 000010
【図３Ｃ】
2017062772.tif 000011
【図４Ａ】
2017062772.tif 000012
【図４Ｂ】
2017062772.tif 000013
【図４Ｃ】
2017062772.tif 000014
【図４Ｄ】
2017062772.tif 000015
【図５Ａ】
2017062772.tif 000016
【図５Ｂ】
2017062772.tif 000017
【図５Ｃ】
2017062772.tif 000018
【図６】
2017062772.tif 000019
【図７】
2017062772.tif 000020
【図８】
2017062772.tif 000021
【図９】
2017062772.tif 000022
【図１０】
2017062772.tif 000023
【図１１】
2017062772.tif 000024
【図１２】
2017062772.tif 000025
【図１３】
2017062772.tif 000026
【外国語明細書】
2017062772000001.pdf